(57)【特許請求の範囲】
【請求項１】
レンズを保持する第一の保持部材と、
該第一の保持部材を保持する第二の保持部材と、
該第二の保持部材の外周部が嵌合する第三の保持部材と、
前記レンズの被写体側で開閉動作が可能に配置され、閉じた状態で前記レンズを保護する保護部材と、
該保護部材を駆動する駆動部材と、を備え、
前記第一の保持部材は、該第一の保持部材を前記レンズの光軸上に位置する中心を中心として回動可能に支持する球面部を有すると共に、前記駆動部材に対して前記レンズの光軸方向から見て重なるように配置され、
前記駆動部材は、前記第三の保持部材の内周部に嵌合して回動し、
前記第二の保持部材と前記第三の保持部材との嵌合部は、光軸方向から見たときに、前記駆動部材と前記第三の保持部材との嵌合部と同じ位置に配置されるか、または、前記駆動部材と前記第三の保持部材との嵌合部よりも内側の位置に配置される、
ことを特徴とするレンズ鏡筒。
【請求項２】
前記保護部材は、回転により開閉動作し、その回転中心は、前記駆動部材と前記第三の保持部材との嵌合部よりも外側の位置に配置される、
ことを特徴とする請求項１に記載のレンズ鏡筒。
【請求項３】
前記駆動部材を回動方向に付勢する弾性部材と、
該弾性部材を保持する弾性部材保持部と、を有し、
該弾性部材保持部は、前記駆動部材と前記第三の保持部材との嵌合部よりも外側の位置に配置される、
ことを特徴とする請求項１または２に記載のレンズ鏡筒。
【請求項４】
前記駆動部材は、前記第三の保持部材に係合する鍔部を有し、
該鍔部は、前記駆動部材と前記第三の保持部材との嵌合部よりも外側の位置に配置される、
ことを特徴とする請求項１〜３のいずれか一項に記載のレンズ鏡筒。
【請求項５】
前記駆動部材は、押圧することにより前記保護部材を回転させる押圧部を有し、
該押圧部は、光軸方向から見たときに、前記第一の保持部材の最外径面よりも内側の位置に配置される、
ことを特徴とする請求項１〜４のいずれか一項に記載のレンズ鏡筒。
【請求項６】
前記第二の保持部材は、前記第三の保持部材に対して回転可能に嵌合するとともに、該回転位置に応じて該第三の保持部材に対する光軸方向の位置の変更が可能である、
ことを特徴とする請求項１〜５のいずれか一項に記載のレンズ鏡筒。
【請求項７】
被写体像を光電変換する撮像素子を備える撮像装置であって、
請求項１〜６のいずれか一項に記載のレンズ鏡筒を備える、
ことを特徴とする撮像装置。
【発明の詳細な説明】
【技術分野】
【０００１】
本発明は、レンズユニットの調整機構およびレンズの保護機能を有するレンズ鏡筒、および該レンズ鏡筒を備える撮像装置に関する。
【背景技術】
【０００２】
ズームレンズのように複数の光学群から構成される光学系を備えるレンズ鏡筒では、光学群の光軸に対する傾きが光学性能の悪化を招く場合がある。そこで、光学性能の悪化を低減するために、例えば、第１群光学群の傾きを調整する機構を備えたレンズ鏡筒が提案されている（特許文献１）。
【特許文献１】特開２００５−１７３４１３号公報
【発明の開示】
【発明が解決しようとする課題】
【０００３】
しかし、上記特許文献１では、撮像装置の収納状態においてレンズを保護する保護部材が設けられていないため、レンズ表面が傷ついたり、レンズ表面にごみや汚れが付着したりするおそれがある。
【０００４】
また、撮像装置の収納状態において、レンズを保護するために、レンズの被写体側を向く面を覆う蓋部材を鏡筒に係合させるものがあるが、撮像装置を使用するときは鏡筒に係合した蓋部材を使用者が外す必要があり、操作が煩雑である。しかも、取り外した蓋部材を保管、または紐などで撮像装置に繋いでおく必要があるので、取り外した後の蓋部材の管理が面倒である。
【０００５】
更に、蓋部材を用いる他の従来例として、撮像装置の装置本体にスライド式の蓋部材を設け、このスライド式の蓋部材のスライド位置に応じて撮像装置の電源をオンオフさせるものがある。
【０００６】
この従来例の場合、スライド式の蓋部材を支持するレール部や、蓋部材でレンズを閉じたまま、または開いたまま該蓋部材を保持する保持機構が必要なため撮像装置が大型化する。
【０００７】
そこで、本発明は、光学性能の悪化を低減することができると共に、撮像装置を使用するときの煩雑さを低減することができ、更には、レンズ鏡筒が径方向に大型化するのを抑制することができるレンズ鏡筒、および撮像装置を提供することを目的とする。
【課題を解決するための手段】
【０００８】
上記目的を達成するために、本発明のレンズ鏡筒は、レンズを保持する第一の保持部材と、該第一の保持部材を保持する第二の保持部材と、該第二の保持部材の外周部が嵌合する第三の保持部材と、前記レンズの被写体側で開閉動作が可能に配置され、閉じた状態で前記レンズを保護する保護部材と、該保護部材を駆動する駆動部材と、を備え、前記第一の保持部材は、該第一の保持部材を前記レンズの光軸上に位置する中心を中心として回動可能に支持する球面部を有すると共に、前記駆動部材に対して前記レンズの光軸方向から見て重なるように配置され、前記駆動部材は、前記第三の保持部材の内周部に嵌合して回動し、前記第二の保持部材と前記第三の保持部材との嵌合部は、光軸方向から見たときに、前記駆動部材と前記第三の保持部材との嵌合部と同じ位置に配置されるか、または、前記駆動部材と前記第三の保持部材との嵌合部よりも内側の位置に配置される、ことを特徴とする。
【０００９】
本発明の撮像装置は、被写体像を光電変換する撮像素子を備える撮像装置であって、請求項１〜６のいずれか一項に記載のレンズ鏡筒を備える、ことを特徴とする。
【発明の効果】
【００１０】
本発明によれば、光学性能の悪化を低減することができると共に、撮像装置を使用するときの煩雑さを低減することができ、更には、レンズ鏡筒が径方向に大型化するのを抑制することができる。
【発明を実施するための最良の形態】
【００１１】
以下、本発明の実施の形態の一例を図面を参照して説明する。
【００１２】
図１は、本発明の実施の形態の一例であるレンズ鏡筒（沈胴状態）を備えるカメラの断面図である。図２は図１に示すレンズ鏡筒のワイド状態を示す断面図、図３は図１に示すレンズ鏡筒のテレ状態を示す断面図である。
【００１３】
図１に示すように、カメラ（撮像装置）１は、カメラ本体２を備えており、該カメラ本体２には、本発明の実施の形態の一例であるレンズ鏡筒３が保持されている。レンズ鏡筒３は、被写体側から像面側に向けて順に配置された一群レンズ１０、二群レンズ２０、三群レンズ３０および四群レンズ４０の４群の光学系を備える。
【００１４】
一群レンズ１０は、一群レンズホルダ（第一の保持部材）１１に一体に保持され、一群レンズホルダ１１は、その外周部に、光学系の光軸上に中心をもつ球形の一部である球面部１１１（図４参照）を有する。
【００１５】
球面部１１１は、レンズ鏡筒３を光軸方向から見たときに、一群レンズ１０の光軸方向の直径差を利用して、一群レンズ１０の最外径面よりも径方向の内側に位置するように配置されている。このように配置することで、一群鏡筒１３の径方向の小型化を可能にしている。
【００１６】
一群レンズホルダ１１は、一群調整移動環（第二の保持部材）１２の内周部分に設けられた、光軸方向の像面側に向かって径が一定の割合で小さくなる円錐形状部１２１に球面部１１１が当接するように保持される。
【００１７】
これにより、一群レンズホルダ１１を一群調整移動環１２に対して球面部１１１の中心を中心として、自在に傾けて配置することができる。
【００１８】
球面部１１１と円錐形状部１２１との当接部は、光軸を中心とする円となる。この円は、一群レンズホルダ１１の傾きによらず、常に円錐形状部１２１の同じ個所に位置する。
【００１９】
図４は、一群レンズホルダ１１と一群調整移動環１２との関係を示す断面図である。図４には、この円の断面における位置を点１２２で表している。
【００２０】
そして、図４に示す点１２２の位置から明らかなように、この円がレンズ鏡筒３を光軸方向から見たときに、一群レンズ１０の最外径面よりも内側になるように、球面部１１１および円錐形状部１２１が配置される。
【００２１】
図５は、一群鏡筒（第三の保持部材）１３の分解斜視図である。一群鏡筒１３には、扇型の５つの平面からなるステージ１３７が設けられ、それぞれの平面は光軸方向の位置が異なっている。そして、ステージ１３７は、光軸を中心とする円周上に３箇所等間隔に配置される。
【００２２】
図１に戻って、一群調整移動環１２には、球状突起１２３がその先端をステージ１３７に当接させて設けられている。なお、図示されていないが、球状突起１２３も光軸を中心とする円周上に３箇所等間隔に配置されており、３箇所のステージ１３７にそれぞれ球状突起１２３が当接することで、一群鏡筒１３に対して一群調整移動環１２の外周部が保持される。
【００２３】
一群調整移動環１２の外周部分と一群鏡筒１３の内周部分とは嵌合関係になっており、一群調整移動環１２は、一群鏡筒１３に対して光軸を中心として回転する。
【００２４】
これにより、球状突起１２３が当接するステージ１３７上の位置を変えることができるので、一群鏡筒１３に対する一群調整移動環１２の光軸方向の位置を、ステージ１３７の５つの平面に応じた５段階の中から選択することができる。なお、一群調整移動環１２が回転しても、球面部１１１と円錐形状部１２１との関係は変わらないので、一群レンズホルダ１１を傾ける動作と一群調整移動環１２の光軸方向の位置を変更する動作とは、それぞれ独立に行うことが出来る。
【００２５】
一群レンズホルダ１１を傾ける調整および一群調整移動環１２の光軸方向の位置の変更については後述するが、傾き調整後の一群レンズホルダ１１および位置変更後の一群調整移動環１２はそれぞれ接着剤により一群鏡筒１３に対して固定される。
【００２６】
二群鏡筒２１は、二群レンズ２０を保持する。同様に、三群鏡筒３１は、三群レンズ３０を保持し、四群鏡筒４１は、四群レンズ４０を保持する。また、二群レンズ２０と三群レンズ３０との間には、絞り機能とシャッター機能とを有する絞りユニット５０が配置される。
【００２７】
本実施形態の光学系による被写体像は、被写体像を光電変換する撮像素子９０に結像する。撮像素子９０は、撮像素子保持板９１に接着剤等により保持され、撮像素子保持板９１は、撮像素子ホルダ９２にビス等により固定される。
【００２８】
図６は、レンズ鏡筒３の分解斜視図である。図６に示すように、撮像素子ホルダ９２には、２本の四群ガイド棒９３が設けられ、四群ガイド棒９３には、四群鏡筒４１（図３参照）が光軸方向へ移動可能に支持されている。
【００２９】
また、撮像素子ホルダ９２には、四群モータ９４が保持され、四群モータ９４へのカメラシステムからの通電によりスクリュウ９５が適宜正逆回転する。スクリュウ９５には、ナット９６がねじ係合するとともに、四群鏡筒４１に対してナット９６が回転しないように支持させることで、四群モータ９４の回転により四群鏡筒４１を光軸方向へ駆動することができる。
【００３０】
一群鏡筒１３は筒状をなしており、その内径側には６個の一群フォロワ１３１（図５参照）が円周方向に等分に設けられている。図８は、移動カム環６０の外周面の展開図である。移動カム環６０は筒形状をなし、筒形状の外周側には、一群フォロワ１３１がカム係合する６個の一群カム溝６１が設けられる。
【００３１】
一群フォロワ１３１は、一群鏡筒１３に圧入されるが、一群フォロワ１３１が配置される位相に一群キー１３２を一群鏡筒１３から径方向外側へ突出して設けることで、一群フォロワ１３１の一群鏡筒１３に対する圧入長さを長くすることができる。
【００３２】
これにより、一群フォロワ１３１の十分な圧入力を得ることができる。そのため、一群キー１３２は、一群鏡筒１３の外周に６箇所等分に設けられている。
【００３３】
一群直進案内筒７０は筒形状をなし、その内周部に一群キー１３２に係合し、光軸方向へのみ一群キー１３２を案内する一群キー溝７１（図６参照）が、一群キー１３２に対応して、６個所設けられている。
【００３４】
移動カム環６０には、一群直進案内筒７０の内面と嵌合する円筒面６２（図６、図８参照）が設けられ、一群直進案内筒７０の内面と円筒面６２との嵌合により、移動カム環６０と一群直進案内筒７０とは相対回転可能に係合する。
【００３５】
また、一群直進案内筒７０は、その内周部に光軸に直交する面に平行な溝７２を有しており、この溝７２に移動カム環６０の突起６３が係合するように組み込まれる。このいわゆるバヨネット係合により、移動カム環６０と一群直進案内筒７０とは光軸方向へ一体となって移動可能となる。
【００３６】
固定カム環８０は、撮像素子ホルダ９２に固定される筒体であり、移動カム筒６０の外周側に配置される。
【００３７】
図１０は、固定カム環８０の内周面の展開図である。図１０に示すように、固定カム環８０の内周部には、移動カム環６０の外周部に３箇所等分に設けられたカムフォロワ６４とカム係合する、有底のカム溝８１が設けられている。
【００３８】
また、このカム溝８１と同じカム軌跡を有し、固定カム環８０の内外周面を貫通する貫通カム穴８２には、移動カム環６０の外周部に３箇所等分に径方向外側に突設された円柱突起６５（図６参照）が貫通する。
【００３９】
駆動環１００は、固定カム筒８０の外周部に嵌合する筒体である。駆動環１００の内周側には、光軸に平行で幅が一定の駆動溝１０１が設けられており、駆動溝１０１は、固定カム環８０の外周部に突出する移動カム環６０の円柱突起６５と係合する。
【００４０】
駆動環１００には、歯車１０２が設けられており、カメラシステムの指令に応じて不図示の駆動源からの駆動力が歯車列を介して歯車１０２へ伝達されることで、駆動環１００が適宜正逆回転する。
【００４１】
そして、駆動環１００の回転により、駆動溝１０１によって円柱突起６５が押され、移動カム環６０が回転する。移動カム環６０は、固定カム環８０とカム係合しているので、移動カム環６０は、その回転とともにカム溝８１にならって光軸方向へ進退する。
【００４２】
一群直進案内筒７０の外周部には、光軸方向に一定の幅を有する直進キー７３（図６参照）が円周上に３箇所等分に設けられている。一方、固定カム環８０には、直進キー７３と嵌合する、光軸に平行なキー溝８３が設けられている。
【００４３】
これにより、移動カム環６０の光軸方向への回転を伴った移動に対して、一群直進案内筒７０は、回転することなく、移動カム環６０とともに光軸方向へ移動する。
【００４４】
また、一群鏡筒１３は、一群キー１３２が一群直進案内筒７０の一群キー溝７１に係合しているので、同じく回転しないが、一群フォロワ１３１がカム係合する一群カム溝６１が回転するので、回転に伴い一群カム溝６１のカム係合部が移動していく。つまり、移動カム環６０の回転に伴い、一群鏡筒１３が光軸方向へ移動することとなる。
【００４５】
移動カム環６０の内周部には、絞りユニット５０、三群鏡筒３１および二群鏡筒２１を光軸方向へ移動させるカム溝が設けられている。
【００４６】
図９は、移動カム環６０の内周面の展開図である。図９において、絞りカム６６は、絞りユニット５０の円周上に３箇所等分に設けられた絞りフォロワ５１とカム係合する。三群カム６７は、三群鏡筒３１の円周上に３箇所等分に設けられた三群フォロワ３２とカム係合する。二群カム６８は、二群鏡筒２１の円周上に３箇所等分に設けられた二群フォロワ２２とカム係合する。
【００４７】
三群鏡筒３１の像面側のフランジ部分には、三群キー３３（図６参照）が円周上に３箇所等分に設けられている。一つの三群キー３３の幅は、一群直進案内筒７０の直進キー７３の幅と同じであり、固定カム環８０のキー溝８３に係合する。つまり、三群鏡筒３１は、三群キー３３が固定されたキー溝８３に係合しているので、光軸方向へ直進するように案内される。
【００４８】
一方、三群フォロワ３２がカム係合する三群カム溝６７が回転するので、該回転に伴い、三群カム溝６７のカム係合部が移動していく。これにより、移動カム環６０の回転に伴い、三群鏡筒３１が光軸方向へカムにならって移動することとなる。
【００４９】
図７は、二群鏡筒２１、三群鏡筒３１および絞りユニット５０の関係を示す分解斜視図である。
【００５０】
図７に示すように、絞りユニット５０の絞りフォロワ５１には、フォロワ５１と同軸の円柱形状が設けられている。この円柱は、三群鏡筒３１に設けられた光軸に平行な絞りキースリット３４と係合する。
【００５１】
これにより、絞りユニット５０は、三群鏡筒３１と光軸を中心として相対回転することなく、互いに光軸方向に変位することができる。移動カム環６０の回転により、絞りフォロワ５１がカム係合する絞りカム溝６６が回転し、絞りフォロワ５１と絞りカム溝６６とのカム係合部が移動していくので、カムにならって絞りユニット５０を光軸方向へ変位させることが出来る。
【００５２】
二群鏡筒２１の内周部には、光軸に平行に一定の幅を有するガイド溝２３が３箇所設けられ、このガイド溝２３に対応して三群鏡筒３１に設けられた光軸に平行なガイド壁３５が係合する。
【００５３】
これにより、二群鏡筒２１は、三群鏡筒３１に対して光軸を中心として相対回転することなく、互いに光軸方向に変位することができる。
【００５４】
移動カム環６０の回転により、二群鏡筒２１がカム係合する二群カム溝６８が回転し、二群フォロワ２２と二群カム溝６８とのカム係合部が移動していくので、カムにならって二群鏡筒２１を光軸方向へ変位させることが出来る。
【００５５】
保護筒１０５は、固定カム環８０を撮像素子ホルダ９２との間に挟み込むように保持する筒体である。保護筒１０５は、駆動環１００の光軸方向への移動を規制するとともに、回転する駆動環１００を覆うことでカメラ本体２内部で駆動環１００を保護している。
【００５６】
また、不図示であるが、保護筒１０５は、移動カム環６０の駆動源となるモータと、モータの回転を減速して駆動環１００の歯車１０２へ伝える減速歯車列とを保持する機能も有する。
【００５７】
次に、一群レンズホルダ１１を傾ける調整および一群調整移動環１２の光軸方向の位置の変更について説明する。
【００５８】
まず、ピント位置などに基づいて、一群調整移動環１２の光軸方向の位置を定める。ここでは、前述したように、一群調整移動環１２の球状突起１２３が一群鏡筒１３のステージ１３７の５つの平面のうちの最適な平面に当接するように、一群調整移動環１２を光軸を中心に回転させる。
【００５９】
球状突起１２３とステージ１３７の当接部分は外部からは見ることができないので、一群調整移動環１２の指標１２４を、一群鏡筒１３に設けられた指標１３３に選択的に合わせることにより使用する平面（回転位置）の選択を行う。
【００６０】
一群調整移動環１２には、３箇所の穴１２５が設けられており、一群鏡筒１３には、穴１２５に対応して突起１３４が設けられている。一群レンズホルダ１１の３箇所のタブ１１２は、一群鏡筒１３の突起１３４に緩く係合する。
【００６１】
この状態で、一群レンズホルダ１１のその周囲を押し引きすることにより、一群レンズ１０の光軸に対する傾きを調整することができる。所望の調整を行った後、一群調整移動環１２の３箇所の穴１２５のそれぞれに接着剤が流し込まれ、タブ１１２、穴１２５および一群鏡筒１３が互いに接着固定される。
【００６２】
次に、図５を参照して、一群レンズ１０を沈胴状態において覆うレンズバリアについて説明する。
【００６３】
図５に示すように、本実施形態のレンズ鏡筒のレンズバリアは、バリア駆動環（駆動部材）１４、１対の内バリア羽根（保護部材）１５、１対の外バリア羽根（保護部材）１６、バリアカバー１７、およびバリアキャップ１８を備える。
【００６４】
バリア駆動環１４は、一群鏡筒１３の内周面に嵌合して回動する。一群調整移動環１２と一群鏡筒１３との嵌合部は、光軸方向から見たときに、バリア駆動環１４と一群鏡筒１３との嵌合部と同じ位置に配置されるか、または、バリア駆動環１４と一群鏡筒１３との嵌合部よりも内側の位置に配置される。
【００６５】
また、一群鏡筒１３の内周面から径方向内側に突設された平板状の突起１３５と、バリア駆動環１４に対して一群鏡筒１３の光軸方向の当接面になるレール１３６との間に、バリア駆動環１４の外周部に設けられた鍔部１４１が入る、いわゆるバヨネット係合をなす。これにより、バリア駆動環１４は、一群鏡筒１３に対して回転可能に支持される。なお、鍔部１４１は、バリア駆動環１４と一群鏡筒１３との嵌合部よりも外側の位置に配置される。
【００６６】
また、バリア駆動環１４は、スプリング掛け（弾性部材保持部）１４２に不図示のスプリング（弾性部材）が掛けられ、レンズ鏡筒３を被写体側から見て反時計回りの回動方向へ付勢する。なお、スプリング掛け１４２は、バリア駆動環１４と一群鏡筒１３との嵌合部よりも外側の位置に配置される。
【００６７】
１対の内バリア羽根１５は、軸（回転中心）１５１を有し、この軸１５１が一群鏡筒１３の軸受け１３６に挿入されることで、軸１５１を中心として回動可能に支持される。なお、軸１５１は、バリア駆動環１４と一群鏡筒１３との嵌合部よりも外側の位置に配置される。
【００６８】
また、１対の内バリア羽根１５が、図５に示すように、互いに密着した状態となることで、一群レンズ１０を保護する閉じた状態をなす。内バリア羽根１５は、この閉じた状態になるように、不図示のスプリングにより付勢される。
【００６９】
ここで、内バリア羽根１５には、バリア駆動環１４の壁部（押圧部）１４３が当接する突起１５２が設けられており、前述したように、バリア駆動環１４は、レンズ鏡筒３を被写体側から見て反時計回り方向へ付勢される。
【００７０】
従って、バリア駆動環１４の回転により突起１５２が押圧され、スプリングの付勢力に抗して内バリア羽根１５が開いた状態へ遷移する。なお、壁部１４３は、光軸方向から見たとき、一群レンズホルダ１１の最外径面より内側の位置に配置される。
【００７１】
１対の外バリア羽根１６は、内バリア羽根１５の被写体側に配置される。外バリア羽根１６には、内バリア羽根１５の軸１５１と同軸の軸１５３に嵌合する穴１６１が設けられており、内バリア羽根１５に対して支持される。
【００７２】
外バリア羽根１６には、２箇所に光軸方向の像面側に突出した突起１６２および突起１６３が設けられ、内バリア羽根１５の外形部分がこの突起１６２および突起１６３に係合することで、内バリア羽根１５の開閉動作に連動して外バリア羽根１６が開閉する。
【００７３】
バリアカバー１７は、一群鏡筒１３に保持され、内バリア羽根１５および外バリア羽根１６が回動する空間を形成し、また、バリアが開いた状態でのレンズ鏡筒３の開口を決定する間口を有する。
【００７４】
そして、バリアキャップ１８がバリアカバー１７および一群鏡筒１３に両面テープなどで固定され、レンズバリア機構が完成する。
【００７５】
図１〜図３を参照して、バリア駆動環１４には、光軸方向の像面側に向けて、一群鏡筒１３に設けられた穴を通して移動カム環６０の面６９（図８参照）に当接するように突起１４４が設けられている。
【００７６】
移動カム環６０の回転により、一群鏡筒１３が、図１に示す沈胴位置に移動することにより、面６９と突起１４４とが当接し、移動カム環６０の回転によりバリア駆動環１４がレンズ鏡筒３を被写体側から見て時計回り方向へ回転する。
【００７７】
これにより、バリア駆動環１４の壁部１４３による内バリア羽根１５の突起１５２の押圧が開放されるので、内バリア羽根１５は、前述したように、不図示のスプリングにより閉じた状態となる。
【００７８】
以上説明したように、本実施形態のレンズ鏡筒は、一群レンズ１０を傾ける調整のための一群レンズホルダ１１、および光軸方向の位置を変更するための一群調整移動環１２を備えるため、光学性能の悪化を低減することができる。
【００７９】
また、一群レンズ１０を保護するレンズバリア機構がレンズ鏡筒３内に配置され、レンズバリア機構を駆動するバリア駆動環１４が、光軸から見たときに、一群レンズホルダ１１および一群調整移動環１２と重なるように配置される。
【００８０】
これにより、カメラを使用するときの煩雑さを低減することができるとともに、一群鏡筒１３、ひいてはレンズ鏡筒が径方向に大型化するのを抑制することができる。
【００８１】
更に、バリア駆動環１４と一群鏡筒１３との嵌合部の外周側と一群鏡筒１３の外形部分との間に、内外バリア羽根の回転軸、バリア駆動環１４を付勢するスプリングのスプリング掛け１４２及びバリア駆動環１４と一群鏡筒１３とのバヨネット係合部が配置される。これにより、一群鏡筒１３内の空間を有効に利用することができる。
【００８２】
なお、本発明は上記実施の形態に例示したものに限定されるものではなく、本発明の要旨を逸脱しない範囲において適宜変更可能である。
【図面の簡単な説明】
【００８３】
【図１】本発明の実施の形態の一例であるレンズ鏡筒（沈胴状態）を備えるカメラの断面図である。
【図２】図１に示すレンズ鏡筒のワイド状態を示す断面図である。
【図３】図１に示すレンズ鏡筒のテレ状態を示す断面図である。
【図４】図１に示すレンズ鏡筒を構成する一群レンズホルダを示す断面図である。
【図５】図１に示すレンズ鏡筒を構成するレンズバリアと一群レンズ調整機構とを示す分解斜視図である。
【図６】図１に示すレンズ鏡筒の分解斜視図である。
【図７】図１に示すレンズ鏡筒を構成する二群鏡筒と三群鏡筒との係合関係を説明するための分解斜視図である。
【図８】図１に示すレンズ鏡筒を構成する移動カム環の外周面の展開図である。
【図９】図１に示すレンズ鏡筒を構成する移動カム環の内周面の展開図である。
【図１０】図１に示すレンズ鏡筒を構成する固定カム環の内周面の展開図である。
【符号の説明】
【００８４】
１      カメラ
２      カメラ本体
３      レンズ鏡筒
１０    一群レンズ
１１    一群レンズホルダ
１２    一群調整移動環
１３    一群鏡筒
１４    バリア駆動環
１５    内バリア羽根
１６    外バリア羽根
１７    バリアカバー
１８    バリアキャップ
２０    二群レンズ
２１    二群鏡筒
２２    二群フォロワ
２３    ガイド溝
３０    三群レンズ
３１    三群鏡筒
３２    三群フォロワ
４０    四群レンズ
４１    四群鏡筒
５０    絞りユニット
５１    絞りフォロワ
６０    移動カム環
６１    一群カム溝
６２    円筒面
６３    突起
６４    カムフォロワ
６５    円柱突起
６６    絞りカム
６７    三群カム
６８    二群カム
７０    一群直進案内筒
７１    一群キー溝
７２    溝
７３    直進キー
８０    固定カム環
８１    カム溝
８２    貫通カム穴
８３    キー溝
９０    撮像素子
９１    撮像素子保持板
９２    撮像素子ホルダ
９３    四群ガイド棒
９４    四群モータ
９５    スクリュウ
９６    ナット
１００  駆動環
１０１  駆動溝
１０２  歯車
１０５  保護筒
１１１  球面部
１１２  タブ
１２１  円錐形状部
１２３  球状突起
１３１  一群フォロワ
１３２  一群キー
１３４、１３５  突起
１３６  レール
１３７  ステージ
１４１  鍔部
１４２  スプリング掛け
１４３  壁部
１４４  突起
１５１，１５３  軸
１５２  突起
１６１  穴
１６２、１６３  突起
【図１】
0004953969.tif 000002
【図２】
0004953969.tif 000003
【図３】
0004953969.tif 000004
【図４】
0004953969.tif 000005
【図５】
0004953969.tif 000006
【図６】
0004953969.tif 000007
【図７】
0004953969.tif 000008
【図８】
0004953969.tif 000009
【図９】
0004953969.tif 000010
【図１０】
0004953969.tif 000011